(57)【要約】【課題】  １台の写真シール印刷装置において、利用者の利用状況に応じて、撮影プレイと編集プレイとを並行して行うことができる運用形態と、撮影空間で撮影プレイを行った後に編集空間で編集プレイを順番に行うようにした運用形態とを、選択可能とすること。【解決手段】  被写体を撮影する撮影空間と利用者が編集操作を行なう編集空間とが独立した構成をとる写真シール印刷装置において、利用者が撮影空間と編集空間との間を自由に移動して撮影プレイと編集プレイとを可逆的に行うことを許可するプレイ可逆制御モード、または、利用者が撮影空間から編集空間に一度移動すると撮影プレイに戻ることを許可しないプレイ不可逆制御モードの、何れか一方を選択的にとる制御手段を有する。【選択図】      図５
2006238352.tif 000002
【特許請求の範囲】
【請求項１】
被写体である利用者を撮影する撮影手段と、撮影した被写体画像を表示する表示手段と、利用者が編集操作を行なう入力手段と、落書き画像などの編集用画像と前記被写体画像とを合成する画像処理手段と、合成された画像を印刷出力する印刷出力手段とを備え、被写体を撮影する撮影空間と利用者が編集操作を行なう編集空間とが独立した構成をとる写真シール印刷装置において、
利用者が撮影空間と編集空間との間を自由に移動して撮影プレイと編集プレイとを可逆的に行うことを許可するプレイ可逆制御モード、または、利用者が撮影空間から編集空間に一度移動すると撮影プレイに戻ることを許可しないプレイ不可逆制御モードの、何れか一方を選択的にとる制御手段を有することを特徴とする写真シール印刷装置。
【請求項２】
請求項１に記載の写真シール印刷装置において、
前記制御手段は、前記プレイ不可逆制御モードをとった際には、前記撮影空間での規定枚数の撮影終了後に、前記編集空間への移動を促す表示メッセージおよび／または音声メッセージを出力させることを特徴とする写真シール印刷装置。
【請求項３】
請求項１に記載の写真シール印刷装置において、
前記制御手段は、前記プレイ可逆制御モードをとった際には、前記撮影空間での撮影プレイで１枚目の被写体画像を撮影を行った時点以降は、前記編集空間での編集プレイを許可することを特徴とする写真シール印刷装置。
【請求項４】
請求項１に記載の写真シール印刷装置において、
前記撮影空間と前記編集空間との間には利用者が通れる開口を設けて、この開口には該開口を開放または遮断する開口開閉手段を設けたことを特徴とする写真シール印刷装置。
【請求項５】
請求項４に記載の写真シール印刷装置において、
前記開口開閉手段は、ロック可能な扉であることを特徴とする写真シール印刷装置。
【請求項６】
請求項４に記載の写真シール印刷装置において、
前記開口開閉手段は、電動式カーテンまたは電動式遮蔽板または電動式遮蔽棒であることを特徴とする写真シール印刷装置。
【請求項７】
請求項１に記載の写真シール印刷装置において、
前記撮影空間と前記編集空間との間には利用者が通れる開口を設けて、この開口には、通路開放を示す状態と通路遮断を示す状態とを選択的にとり得る通路態様制御手段を設けたことを特徴とする写真シール印刷装置。
【請求項８】
請求項６に記載の写真シール印刷装置において、
前記通路態様制御手段は、電動式カーテンまたは電動式暖簾または電動式簾であることを特徴とする写真シール印刷装置。
【請求項９】
請求項４乃至８の何れか１項に記載の写真シール印刷装置において、
前記開口は、撮影時に被写体に対する背景を演出すると共に、前記撮影空間と前記編集空間との間を仕切る背景演出手段と、写真シール印刷装置の筐体との間に、形成されることを特徴とする写真シール印刷装置。
【請求項１０】
請求項１に記載の写真シール印刷装置において、
前記撮影空間と前記編集空間との間を仕切る仕切り手段を有し、前記制御手段は、仕切り手段に、前記撮影空間と前記編集空間との間を利用者が通れることを許可する状態と、許可しない状態とを、選択的にとらせることを特徴とする写真シール印刷装置。
【発明の詳細な説明】
【技術分野】
【０００１】
本発明は、遊技場、遊園地といったアミューズメント施設などに設置され、被写体の画像（被写体画像）と、落書き画像（落書き線描画像や各種スタンプ画像）などといった編集用画像との合成画像を、シール紙に印刷して出力する、写真シール印刷装置に関する。
【背景技術】
【０００２】
画像プリント作成装置あるいは写真シール自販機などとも呼ばれる写真シール印刷装置は、利用者である被写体をデジタルカメラで撮影し、その撮影画像（被写体画像）と落書き画像とを合成した合成画像を、シール紙に印刷して出力する装置である。利用者が行う落書き操作では、表示画面上に落書き用の複数のキャラクタ画像を表示させ、この中から任意の落書き用画像を利用者に選択させて、その選択した落書き用画像を任意の位置に配置させたり、利用者に任意の線描などを行わせて、これにより、利用者の所望するあるいは好みに合った落書き画像を生成する。
【０００３】
このような写真シール印刷装置において、２つの操作パネルを併設して、この２つの操作パネルでそれぞれ落書き編集の操作を可能とすることで、複数の利用者が効率的に編集を行えるようにした、写真シール印刷装置も知られている（特許文献１参照）。
【０００４】
また、被写体を撮影する空間と利用者が編集操作を行なう空間とを独立したものとして、撮影する空間と編集操作を行なう空間において別個の利用者がそれぞれ撮影と編集操作を同時進行で行える構成をとることで、顧客の回転率を上げることができるようにした写真シール印刷装置も知られている（特許文献２参照）。
【特許文献１】特開２００２−２０９１６５号公報
【特許文献２】特開２００２−２１６２３９号公報
【発明の開示】
【発明が解決しようとする課題】
【０００５】
ところで、従来の写真シール印刷装置は、大別すると、撮影空間で撮影（撮影プレイ）を行った後に編集空間で編集（編集プレイ）を行うタイプのものと、同一空間内にて撮影と編集を同時に行えるタイプのものとに、分けられる。前者のタイプのものでは、顧客の回転率を上げることができるも、一旦編集操作（編集プレイ）に入ると、再び撮影を行うことができない。後者のタイプのものでは、撮影プレイと編集プレイとを並行して行うことができ、利用者の満足度を高めることができるが、両プレイを同一空間内で行う構成であるため、顧客の回転率を上げることができない。利用者が多い場合は、前者のタイプのように顧客の転効率がよい写真シール印刷装置が望まれ、利用者が少ない場合は、後者のタイプのように利用者の満足度を高めることができる写真シール印刷装置が望まれる。
【０００６】
本発明は上記の点に鑑みなされたもので、その目的とするところは、１台の写真シール印刷装置において、利用者の利用状況に応じて、撮影プレイと編集プレイとを並行して行うことができる運用形態と、撮影空間で撮影プレイを行った後に編集空間で編集プレイを順番に行うようにした運用形態とを、選択可能とすることにある。
【課題を解決するための手段】
【０００７】
本発明は上記した目的を達成するために、被写体である利用者を撮影する撮影手段と、撮影した被写体画像を表示する表示手段と、利用者が編集操作を行なう入力手段と、落書き画像などの編集用画像と前記被写体画像とを合成する画像処理手段と、合成された画像を印刷出力する印刷出力手段とを備え、被写体を撮影する撮影空間と利用者が編集操作を行なう編集空間とが独立した構成をとる写真シール印刷装置において、
利用者が撮影空間と編集空間との間を自由に移動して撮影プレイと編集プレイとを可逆的に行うことを許可するプレイ可逆制御モード、または、利用者が撮影空間から編集空間に一度移動すると撮影プレイに戻ることを許可しないプレイ不可逆制御モードの、何れか一方を選択的にとる制御手段を有した、構成をとる。
【発明の効果】
【０００８】
本発明によれば、写真シール印刷装置の運用形態を、管理側などが状況に応じて変更することが可能になり、したがって、写真シール印刷装置を利用待ちの人が多ければ、プレイ不可逆制御モードに設定することで運用効率（顧客の回転率）が上がり、利用待ちの人がいなければ特に運用効率を上げる必要がないので、プレイ可逆制御モードに設定することで、利用者のプレイの満足度を高めることができる。
【発明を実施するための最良の形態】
【０００９】
以下、本発明の実施の形態を、図面を用いて説明する。図１〜図７は、本発明の一実施形態による写真シール印刷装置に係り、図１は、本実施形態の写真シール印刷装置の機能構成を示すブロック図である。
【００１０】
図１に示すように、本実施形態の写真シール印刷装置は、撮影空間である撮影室内の被写体（利用者）をプレビュー表示のために動画撮影、および被写体を静止画撮影する撮影するカメラ（デジタルカメラ）１と、実際に写っている被写体の動画像（プレビュー画像）などを表示する撮影用モニタ（タッチパネル付きディスプレイ）２と、被写体に対して所定の明るさの照明を与える照明装置３（常時点灯する面光源３１および撮影時（静止画撮影時に発光するストロボ３２）と、被写体に対して被写体の所望する背景を与える（背景を演出する）背景機構４と、カメラ１で撮影（静止画撮影）した被写体画像を表示し、その表示された被写体画像に対し所望の落書き画像などをタッチペン操作で入力するため等の編集用モニタ（タッチパネル付きディスプレイ）５と、落書き画像（落書き線描画像や各種スタンプ画像）などの編集用画像を入力するため等の複数のタッチペン６ａ、６ｂと、被写体画像に対し落書き画像などが合成された合成画像を写真シールとして印刷出力するプリンタ７と、被写体である利用者に各種の案内メッセージを音声で通知するスピーカ８、１８と、装置全体を制御する制御装置９とを、含んで構成されている。
【００１１】
図２は、本実施形態の写真シール印刷装置の筐体内の概要を示す図で、図２の（ａ）は側面から見た図であり、図２の（ｂ）は上面から見た図である。本実施形態では、筐体２０内が、被写体を撮影する空間（撮影空間）である撮影室Ａと、利用者が編集操作を行う空間（編集空間）である編集室Ｂとに、仕切り手段によって仕切られている。ここでは、仕切り手段を、背景機構４と、電動開閉式でかつロックできる機能をもつ電動扉よりなる通路遮断手段１０とで構成しており、通路遮断手段１０が開放された状態では、利用者が通れる開口が形成されるようになっている。撮影室Ａには、本体装置２１が設置され、この本体装置２１には、カメラ１、撮影用モニタ２、照明装置３、制御装置９など（図１の符号２１の点線内の構成要素）が備えられている。また、編集室Ｂには、編集用装置２２が設置され、この編集用装置２２には、編集用モニタ５、プリンタ７など（図１の符号２２の点線内の構成要素）が備えられている。
【００１２】
利用者２４は、撮影室Ａには、筐体２０の側面に設けた入口２５から入室し、撮影室Ｂからは、筐体２０の側面に設けた出口２６から退室し、また、撮影室Ａと撮影室Ｂとの間の移動は、通路遮断手段１０が開放された状態で形成される開口を通って行う。なお、本実施形態では、編集空間を編集室Ｂとしているが、編集用装置２２を筐体２０外に設置して、この編集用装置２２が設置された空間を編集空間とする構成であっても構わない。
【００１３】
図３は、本体装置２１の斜め正面から見た斜視図である。図３に示すように、本体装置２１のほぼ中央位置にはカメラ１が配置されており、このカメラ１の下側には撮影用モニタ２が配置されて、この撮影用モニタ２によって、カメラ１に向かって利用者（被写体）２４が任意の撮影ポーズをとった際の被写体の動画像を、被写体２４の位置から確認可能なようになっている。また、照明装置３は、撮影室Ａ内の被写体２４に対して正面および左右から所定の明るさの照明光を与えるように配置されている。被写体２４の左右および斜め上方に設置される照明装置３は、それぞれ、面光源３１とストロボ３２を内蔵し、撮影ポーズを確認する際には、面光源３１によって所定の明るさの照明光を被写体２４の方向に照射している。撮影ポーズの確認が終わり、被写体２４の静止画を撮影するタイミングになったならば、ストロボ３２が発光し、被写体２４に対して面光源３１からの照明光に加え、ストロボ３２によるストロボ光を照射するようになっている。
【００１４】
背景機構４は、撮影に際して被写体（利用者）２４に背景を与える（背景を演出する）ためのものであり、利用者が撮影用モニタ２での案内メッセージに従って、予め用意された複数の背景のうちから、所望の背景を付属のタッチペン２ａによって選択することによって、利用者が所望した背景を演出するようになっている。なお、案内メッセージは、撮影用モニタ２に表示する以外にスピーカ８からの音声等であってもよく、背景の種類の選択手段は、タッチペン２ａ以外のボタンまたは案内用のモニタでのタッチ操作等で行うように構成することができる。本実施形態で示す背景機構４は、複数枚のカーテンに各種の背景画像を印刷した電動式カーテンで構成され、撮影室Ａに入室した利用者２４が例えば「夕焼け」の背景画像を選択した場合には、「夕焼け」の風景を印刷したカーテンが利用者（被写体）２４の背景になるように、電動制御によって位置付けられるように構成されている。
【００１５】
通路遮断装置１０は、利用者２４が撮影空間（ここでは撮影室Ａ）と編集空間（ここでは編集室Ｂ）との間を自由に移動して撮影プレイと編集プレイとを可逆的に行うことを許可するプレイ可逆制御モードと、利用者が撮影空間から編集空間に一度移動すると撮影プレイに戻ることを許可しないプレイ不可逆制御モードという、２つの運用形態に応じて、その制御が切り替えられる装置であり、ここでは、通路遮断装置１０は、ロック可能な電動式の扉によって構成されている。この通路遮断装置１０は、制御装置９にプレイ不可逆制御モードをとらせた運用形態では、撮影室Ａ内に利用者がいない状態、および、利用者が撮影室Ａ内に入室して規定枚数の撮影（静止画の撮影）が終了するまでの間は、編集室Ｂとの間を遮断するように位置付けられると共に、利用者が手動では開閉ができないよう扉にロックがかかって、撮影室Ａから編集室Ｂへの通行を禁止するように、制御される。そして、通路遮断装置１０は、規定枚数の撮影が終了すると、扉が自動的に開放されて、利用者が撮影室Ａから編集室Ｂへ移動することを許可し、利用者が編集室Ｂに移動した後、編集用装置２２に何らかの操作を行ったことを契機として、扉は自動的に閉塞されてロックするように、制御される。また、通路遮断装置１０は、制御装置９にプレイ可逆制御モードをとらせた運用形態では、扉を常時開放位置において、利用者が撮影室Ａと編集室Ｂとの間を自由に往来できるように、制御される。
【００１６】
なお、通路遮断装置１０は、電動式の扉に替えて、撮影空間（ここでは撮影室Ａ）と編集空間（ここでは編集室Ｂ）との間の開口を、選択的に開放または閉塞して、閉塞状態では、利用者の通行を物理的に阻止するような、電動式カーテンまたは電動式遮蔽板または電動式遮蔽棒であってもよい。この場合にも、制御装置９がプレイ可逆制御モードをとった際には、通路遮断装置１０は、利用者が撮影空間と編集空間との間を自由に移動することを許可するように常時開放状態におかれ、制御装置９がプレイ不可逆制御モードをとった際には、通路遮断装置１０は、規定枚数の撮影後に、利用者が撮影空間から編集空間に一度だけ移動することを許可するように、規定枚数の撮影後から編集用装置２２に何らかの操作を行うまでの間だけ、開放状態におかれ、他の期間は閉塞状態をとるように、制御される。
【００１７】
なおまた、利用者の通行を物理的に阻止できる状態をとり得る通路遮断手段１０に代替して、通路開放を示す状態と、通路遮断を示す状態とを、選択的にとり得る通路態様制御手段を設けてもよい。この通路態様制御手段とは、通路遮断を示す状態では、利用者が物理的には通行可能であるも、システムが撮影空間と編集空間との間の通行を許可していないことを、利用者に認知させるような、電動式カーテンまたは電動式暖簾または電動式簾である。この場合にも、制御装置９がプレイ可逆制御モードをとった際には、通路態様制御手段は、利用者が撮影空間と編集空間との間を自由に移動することを許可するように常時開放状態におかれ、制御装置９がプレイ不可逆制御モードをとった際には、通路態様制御手段は、規定枚数の撮影後に、利用者が撮影空間から編集空間に一度だけ移動することを許可するように、規定枚数の撮影後から編集用装置２２に何らかの操作を行うまでの間だけ、開放状態におかれ、他の期間は垂れ下がった状態をとるように、制御される。
【００１８】
また、撮影空間（ここでは撮影室Ａ）と編集空間（ここでは編集室Ｂ）との間を仕切る仕切り手段を、前記したように背景機構４と通路遮断装置１０とで構成するのではなく、例えば背景機構４がない構成の場合には、１つの通路遮断装置１０や１つの通路態様制御手段のみによって仕切り手段を構成して、この仕切り手段全体またはその一部を開閉可能とすることで、撮影空間と編集空間との間を利用者が通れることを許可する状態と、許可しない状態とを、選択的にとらせるようにしてもよい。
【００１９】
次に、写真シール印刷装置の制御を司る図１の制御装置９の構成について説明する。制御装置９は、メモリ９２に格納されたプログラムによってシステム全体を統括制御するＣＰＵ９１と、カメラ１で撮影された画像（動画像、静止画）を入力する画像入力部９３と、撮影用モニタ２に被写体２４の動画像などを表示させるための画像出力部９４と、スピーカ８に各種の案内メッセージの音声信号を出力する音声出力部９５と、撮影用モニタ（タッチパネル付きディスプレイ）２上をタッチパネル２ａでタッチすることにより入力された、ユーザの操作入力を処理するユーザ入力処理部１０６と、落書きに使用する各種のスタンプ画像、各種の案内メッセージ（音声及び文字情報）などを記憶しているパターンメモリ９６と、被写体画像と落書き画像（編集用画像）との合成画像をＣＰＵ９１と協働して作成する画像処理部９７と、正規の利用料金が投入されたことを検出するコイン制御部９８と、照明制御部９９と、背景機構制御部１００と、被写体の静止画を撮影する時のシャッタタイミングを与えるタイマ１０１と、被写体２４が撮影室Ａ内に入室した状態かどうかを検知するセンサ１０２と、編集用モニタ５に被写体画像や落書き操作のための操作用画像や合成画像などを表示させる画像出力部１０３と、編集用モニタ（タッチパネル付きディスプレイ）５上をタッチペン６ａ、６ｂでタッチすることにより入力された、ユーザの操作入力を処理するユーザ入力処理部１０７と、スピーカ１８に各種の案内メッセージの音声信号を出力する音声出力部１０８と、プリンタ７を制御するプリンタ制御部１０４と、通路遮断装置１０を制御する通路遮断制御部１０５とを、含んで構成されている。
【００２０】
制御装置９のＣＰＵ９１は、利用者が撮影空間（ここでは撮影室Ａ）と編集空間（ここでは編集室Ｂ）との間を自由に移動して撮影プレイと編集プレイとを可逆的に行うことを許可するプレイ可逆制御モードと、利用者が撮影空間から編集空間に一度移動すると撮影プレイに戻ることを許可しないプレイ不可逆制御モードとを、管理側のオペレータの設定操作で択一選択されて、その何れか一方の制御モードをとるようになっている。そして、ＣＰＵ９１は、プレイ可逆制御モードをとった際には、撮影空間での撮影プレイで１枚目の被写体画像を撮影を行った時点以降は、編集空間での編集プレイを許可するように、制御装置９内の各部を制御する。また、ＣＰＵ９１は、プレイ不可逆制御モードをとった際には、撮影空間での撮影プレイが完全に終了するまで（規定枚数の撮影が完了するまで）は、編集空間での編集プレイを禁止し、編集空間での編集プレイが開始されると、再度の撮影プレイを許可しないように、制御装置９内の各部を制御する。さらに、ＣＰＵ９１は、プレイ不可逆制御モードをとった際には、撮影空間（撮影室Ａ）での規定枚数の撮影終了後に、編集空間（編集室Ｂ）への移動を促し、撮影空間への戻りを許可しない旨の、表示メッセージおよび／または音声メッセージを、撮影用モニタ２および／またはマイク８出力させるように制御する。
【００２１】
なお、撮影空間と編集空間との間を常に利用者が物理的に往来可能なように構成しておき（例えば、撮影空間と編集空間との間の開口に、通路遮断手段１０や通路態様制御手段などを何ら設けない構成として）、プレイ不可逆制御モードの際には、上記の編集空間（編集室Ｂ）への移動を促し、撮影空間への戻りを許可しない旨の、表示メッセージおよび／または音声メッセージを出力するだけの、形態を採用してもよい。これは、写真シール印刷装置の利用者が十分常識的であることが期待できるからである。
【００２２】
図４は、写真シール印刷装置のメンテナンス画面中の運用形態の変更用画面を示す図である。この運用形態の変更用画面は、撮影用モニタ２および／または編集用モニタ５に表示されるもので、管理側のオペレータは、この運用形態の変更用画面の「ボタン１」を選択し決定ボタンをタッチすることで、ＣＰＵ９１（制御装置９）にプレイ不可逆制御モードをとらせ、「ボタン２」を選択し決定ボタンをタッチすることで、ＣＰＵ９１（制御装置９）にプレイ可逆制御モードをとらせることができるようになっている。このように管理側のオペレータが運用形態を変更することで、本実施形態では、通路遮断装置１０が、先に述べたように、プレイ不可逆制御モードまたはプレイ可逆制御モードに応じた位置、動作形態をとるように、通路遮断制御部１０５による制御が自動的に変更される。また、プレイ不可逆制御モードまたはプレイ可逆制御モードの設定に応じて、写真シール印刷装置の動作処理フローも、それに応じたものに自動的に変更される。なお、設定されている現在の運用形態（プレイ不可逆制御モードまたはプレイ可逆制御モード）は、写真シール印刷装置の利用前またはコイン投入直後に、撮影用モニタ２上での表示および／またはスピーカ８からのアナウンスによって、利用者に伝えるようにされる。
【００２３】
なおまた、通路遮断装置１０の動作モードの変更は、画面上の選択操作のみで全てが自動で行われるものだけでなく、運用形態を変更した場合、それにあった通路遮断装置１０の機能のマニュアル変更を促し、それに応じてオペレータが手動で機能を変更することを含む場合もあり得る。あるいは、運用形態の変更方法は、運用形態の変更用画面を用いるのでなく、オペレーターが通路遮断装置１０の機能を手動で変更した場合、それを自動で認識し、変更した機能に合ったプレイ不可逆制御モードまたはプレイ可逆制御モードに、ＣＰＵ９１（制御装置９）が自動的に切り替わる手法であってもよい。
【００２４】
図５の（ａ）は、プレイ不可逆制御モードが設定された運用形態のときの、筐体２０内を上方から見た説明図である。この場合には、通路遮断装置１０の扉は、規定枚数の撮影後から編集用装置２２に何らかの操作を行うまでの間以外は、常に閉まった状態となっている。このプレイ不可逆制御モードでは、利用者（被写体）２４が撮影室Ａ内で規定枚数の撮影を行うと、通路遮断装置１０の扉が自動的に開放され、利用者が編集室Ｂに移動した後、編集用装置２２に何らかの操作を行うと、これを検知して扉は自動的に閉塞されてロックされるようなっている。したがって、利用者が編集室Ｂに移動して編集プレイを開始すると、撮影室Ｂへの移動（戻り）は禁止されることになる。なお、通路遮断装置１０の扉の開放は、利用者が手動で行うようにしてもよく、この場合には扉は開放後に、自動的に閉じる構造をとり、編集プレイを開始すると電磁的にロックされるようにするか、あるいは、撮影室Ａからの扉の開放操作のみが行え、編集室Ｂからは扉の開放操作が不能であるような構造とすればよい。
【００２５】
図５の（ｂ）は、プレイ可逆制御モードが設定された運用形態のときの、筐体２０内を上方から見た説明図である。この場合には、通路遮断装置１０の扉は、常時開放状態にあり、したがって、利用者（被写体）２４は、撮影室Ａと編集室Ｂとを自由に往来することが可能である。このプレイ可逆制御モードの場合には、撮影室Ａでの撮影プレイで１枚目の被写体画像を撮影を行った時点以降は、編集室Ｂで編集プレイを行うことができるので、利用者は、撮影室Ａでの撮影プレイと、編集室Ｂでの編集プレイとを、交互に行うことができ、また、利用者が複数である場合には、撮影室Ａでの撮影プレイと、編集室Ｂでの編集プレイとを、同時進行で行うことが可能となり、利用者のプレイの自由度が増して、利用者の満足度を高めることができる、ユーザフレンドリィな環境を提供することができる。
【００２６】
図６は、以上のように構成された本実施形態の写真シール印刷装置のプレイ不可逆制御モード設定時の動作の概要を示すフローチャートである。
【００２７】
まず、電源投入により、撮影用モニタ２に撮影オープニング画面が流れる（ステップＳ４０１）。次に、硬貨投入処理画面に遷移する（ステップＳ４０２）。正規の利用料金が投入されたことをコイン制御部９８が検出したならば、撮影用モニタ２にモードの種類（「アップ」、「全身」）を表示し、タッチペン２ａを用いて何らかのフレームの種類を利用者２４に選択させる（ステップＳ４０３）。例えば、「全身」を選択させる。次に、撮影用モニタ２に背景の種類を表示し、タッチペン２ａを用いて何らかの背景を選択させる（ステップＳ４０４）。例えば、夕焼け風景の背景を選択させる。これにより、ＣＰＵ９１は、選択されたフレームの種類に応じてカメラ１のズーム倍率を制御し、また、選択された背景が被写体２４の背景になるように背景機構４を電動制御する。背景の選択後、所定時間が経過すると、タイマ１０１で定められた時間間隔で被写体（利用者）２４の撮影（静止画撮影）が開始される（ステップＳ４０５）。そして、予め決められたＮ枚の撮影が終了したならば（ステップＳ４０６）、背景機構４の全ての背景のカーテンを巻き上げ、撮影用モニタ２に今まで撮影（静止画撮影）した被写体画像のサムネイル画像を表示し、これにより利用者２４がタッチペン２ａを用いて必要とする（編集候補とする）被写体画像を選択する（ステップＳ４０７）。
【００２８】
利用者２４による被写体画像の選択後、撮影室Ａから編集室Ｂへの移動が可能な状態として、スピーカ８から「編集室へ移動して下さい。移動後は撮影室には戻れません。」という旨の案内メッセージを発生させる（ステップ４０８）。なお、案内メッセージはスピーカ８からの音声以外に、撮影用モニタ２に表示する等の方法で発生させてもよい。また、案内メッセージは、「編集室へ移動して下さい。」というメッセージだけであっても構わない。なおまた、編集候補とする被写体画像の選択は、編集室Ｂに移動してから行うようにしても差し支えない。
【００２９】
メッセージの出力に応じて、撮影を終えた利用者２４が撮影室Ａと編集室Ｂとの間の開口を通って、撮影室Ａから編集室Ｂへと移動し、利用者が編集室Ｂに移動したことを検出すると（ステップＳ４０９）、通路遮断装置１０の扉が閉じられてロックされる。この利用者２４が編集室Ｂに移動したことの検出は、先にも述べたように、タッチペン６ａ、６ｂによる編集用モニタ５への入力の検出によって行うようにしているが、利用者２４の移動の検出は、センサ１０２による検出や、規定枚数の撮影終了後の一定時間経過をもって検出とすることにしてもよい。
【００３０】
編集室２８では、選択した複数ショットの被写体画像に対し、色変更、落書きなどの編集操作（レタッチ）を、タッチペン６ａ、６ｂによる編集用モニタ５への入力で行わせる（ステップＳ４１０）。そして、編集時間が０（零）になると、編集プレイを終了する（ステップＳ４１１）。編集プレイが終了したならば、プリント形式、例えば１枚のシートに合成画像をどのような形式で印刷するかを選択させる（ステップＳ４１２）。印刷形式が指定されたならば、プリンタ７から選択されたプリント形式の写真シールを印刷出力する（ステップＳ４１３）。
【００３１】
図７は、本実施形態の写真シール印刷装置のプレイ可逆制御モード設定時の動作の概要を示すフローチャートである。
【００３２】
まず、電源投入により、撮影用モニタ２に撮影オープニング画面が流れる（ステップＳ５０１）。次に、硬貨投入処理画面に遷移する（ステップＳ５０２）。正規の利用料金が投入されたことをコイン制御部９８が検出したならば、撮影用モニタ２にモードの種類（「アップ」、「全身」）を表示し、タッチペン２ａを用いて何らかのフレームの種類を利用者２４に選択させる（ステップＳ５０３）。例えば、「全身」を選択させる。次に、撮影用モニタ２に背景の種類を表示し、タッチペン２ａを用いて何らかの背景を選択させる（ステップＳ５０４）。例えば、夕焼け風景の背景を選択させる。これにより、ＣＰＵ９１は、選択されたフレームの種類に応じてカメラ１のズーム倍率を制御し、また、選択された背景が被写体２４の背景になるように背景機構４を電動制御する。背景の選択後、所定時間が経過すると、タイマ１０１で定められた時間間隔で被写体（利用者）２４の撮影（静止画撮影）が開始される（ステップＳ５０５）。
【００３３】
最初の撮影（静止画撮影）が行われるまで、編集用モニタ５には撮影画像（被写体画像）の出力確認が行われている（ステップＳ５１０）。最初の撮影が終わると、編集室Ｂにおいて、編集用モニタ５に出力された被写体画像に対し、色変更、落書きなどの編集操作（レタッチ）をタッチペン６ａ、６ｂによる編集用モニタ５への入力で行うことが可能になる（ステップＳ５１１）。このとき、利用者２４は撮影室Ａで残り撮影時間がなくなるまで撮影が可能である（ステップＳ５０７）。また同時に、利用者２４は編集室Ｂに自由に移動して、編集用装置２２により編集処理（編集プレイ）を行うことができる。この間、撮影した被写体画像は編集処理対象の画像となる。撮影時間がなくなると撮影終了となり（ステップＳ５０８）、利用者２４は編集プレイのみを行う。そして、編集時間が０（零）になると編集プレイを終了する（ステップＳ５１２）。編集プレイが終了したならば、編集後の合成画像のサムネイル画像を編集用モニタ５に表示し、必要なものを選択させる（ステップＳ５１３）。その後、必要なプリント形式、例えば１枚のシートに撮影画像をどのような形式で印刷するかを選択させる（ステップＳ５１４）。印刷形式が指定されたならば、プリンタ７から選択したプリント形式の写真シールを印刷出力する（ステップＳ５１５）。
【００３４】
以上が、本実施形態の写真シール印刷装置のプレイ不可逆制御モード設定時、およびプレイ可逆制御モード設定時の動作の概要である。このように、本実施形態では、１台の写真シール印刷装置において、利用者の利用状況に応じて、撮影プレイと編集プレイとを並行して行うことができる運用形態（プレイ可逆制御モード）と、撮影空間で撮影プレイを行った後に編集空間で編集プレイを順番に行うようにした運用形態（プレイ不可逆制御モード）とを、選択可能としているので、写真シール印刷装置を利用待ちの人が多ければ、プレイ不可逆制御モードに設定することで運用効率（顧客の回転率）が上がり、利用待ちの人がいなければ特に運用効率を上げる必要がないので、プレイ可逆制御モードに設定することで、利用者のプレイの満足度を高めることができる。
【図面の簡単な説明】
【００３５】
【図１】本発明の一実施形態に係る写真シール印刷装置の機能構成を示すブロック図である。
【図２】本発明の一実施形態に係る写真シール印刷装置の筐体内の概要を示す説明図である。
【図３】本発明の一実施形態に係る写真シール印刷装置の本体装置を斜め正面から見た斜視図である。
【図４】本発明の一実施形態に係る写真シール印刷装置における、運用形態の変更用画面を示す説明図である。
【図５】本発明の一実施形態に係る写真シール印刷装置における、プレイ不可逆制御モード設定時とプレイ可逆制御モード設定時の筐体内の様子を示す説明図である。
【図６】本発明の一実施形態に係る写真シール印刷装置における、プレイ不可逆制御モード設定時の動作の概要を示すフローチャートである。
【図７】本発明の一実施形態に係る写真シール印刷装置における、プレイ可逆制御モード設定時の動作の概要を示すフローチャートである。
【符号の説明】
【００３６】
Ａ  撮影室
Ｂ  編集室
１  カメラ
２  撮影用モニタ
２ａ  タッチペン
３  照明装置
４  背景機構
５  編集用モニタ
６ａ、６ｂ  タッチペン
７  プリンタ
８  スピーカ
９  制御装置
１０  通路遮断装置
１８  スピーカ
２０  筐体
２１  本体装置
２２  編集用装置
２４  利用者（被写体）
２５  入口
２６  出口
３１  面光源
３２  ストロボ
９１  ＣＰＵ
９２  メモリ
９３  画像入力部
９４  画像出力部
９５  音声出力部
９６  パターンメモリ
９７  画像処理部
９８  コイン制御部
９９  照明制御部
１００  背景機構制御部
１０１  タイマ
１０２  センサ
１０３  画像出力部
１０４  プリンタ制御部
１０５  通路遮断制御部
１０６  ユーザ入力処理部
１０７  ユーザ入力処理部
１０８  音声出力部
【図１】
2006238352.tif 000003
【図２】
2006238352.tif 000004
【図３】
2006238352.tif 000005
【図４】
2006238352.tif 000006
【図５】
2006238352.tif 000007
【図６】
2006238352.tif 000008
【図７】
2006238352.tif 000009